(57)【要約】【課題】正確かつ簡易迅速なシーツの交換作業を可能にし、シーツの劣化を防止するとともに、低コストで簡単に製造することのできるマットレス用シーツを提供する。【解決手段】マットレス用シーツ１００を、マットレスを覆うシーツ本体１０と、シーツ本体１０の一方の短辺側に形成され、口部がシーツ本体１０の他方の短辺方向を向いている袋部２０と、袋部２０の両隣に形成され、シーツ本体１０の一方の短辺側に位置するコーナー部周辺を補強するための補強部３０とから構成し、袋部２０及び補強部３０を、折り返されたシーツ本体１０とその下側に位置するシーツ本体１０とを袋部２０の斜辺２０ｄに沿って重着することで形成する。【選択図】図１
0003197216.tif 000002
【実用新案登録請求の範囲】
【請求項１】
マットレスを覆うシーツ本体と、
該シーツ本体の一方の短辺側に形成され、口部が該シーツ本体の他方の短辺方向を向いている袋部と、
該袋部の両隣に形成され、該シーツ本体の一方の短辺側に位置するコーナー部周辺を補強するための補強部と
を備えることを特徴とするマットレス用シーツ。
【請求項２】
該袋部が平面視において、上辺が該シーツ本体の一方の短辺側に位置する台形状にて形成されるとともに、
該補強部が平面視において、該袋部の斜辺を一辺とする三角形状にて形成されていること
を特徴とする請求項１に記載のマットレス用シーツ。
【請求項３】
該シーツ本体の一方の短辺側が他方の短辺側に折り返されており、折り返された該シーツ本体とその下側に位置する該シーツ本体とが、平面視台形状にて形成される該袋部の斜辺に沿って重着されていることを特徴とする請求項２に記載のマットレス用シーツ。
【考案の詳細な説明】
【技術分野】
【０００１】
本考案は、マットレス用シーツに関し、より詳しくは、正確かつ簡易迅速なシーツの交換作業を可能にし、シーツの劣化を防止するとともに、低コストで簡単に製造することのできるマットレス用シーツに関する。
【背景技術】
【０００２】
ホテルや病院等におけるシーツの取り付け作業では、しわを発生させないようにシーツを取り付ける必要があること等から、正確な取り付け作業が求められる。また、ホテルや病院等では、頻繁にシーツの交換作業（シーツの取り付け及び取り外し作業）が行われることから、迅速に係る作業を行わなければならない。
【０００３】
このため、従来では、係る作業を正確かつ簡易迅速に行うべく、２人１組でシーツの交換作業が行われていたが、人件費の増加や人手不足等といった問題があった。
【０００４】
そこで、このような問題を解決しようとするものとして、マットレスの表面を被覆包囲するための長方形状のシーツに袋状引っ掛け部を備えたことを特徴とするベッドメイキングシーツが知られている（特許文献１参照）。
【先行技術文献】
【特許文献】
【０００５】
【特許文献１】実用新案登録第３１６００４２号公報
【考案の概要】
【考案が解決しようとする課題】
【０００６】
しかし、特許文献１に記載されているベッドメイキングシーツでは、これをマットレスに取り付ける際、ベッド台の上に載置されたマットレスの頭側に袋状引っ掛け部を引っ掛けて、頭部を包み込むようにしてシーツを引っ張ることから、シーツのコーナー部周辺には、相当な力が加わることになる（しわを発生させないために、シーツは強い力で引っ張られる）。このため、頻繁にシーツの交換作業が行われるホテルや病院等では、当該シーツが繰り返し使用されることで、シーツのコーナー部周辺が擦り切れてしまう（シーツが痛む）という問題が生じる（特許文献１に記載されているベッドメイキングシーツには、シーツのコーナー部周辺に補強が施されていないため）。
【０００７】
また、ホテルや病院等で使用されるシーツは、このような交換作業に伴って、頻繁に洗濯や高温滅菌処理等（クリーニング）が行われることから、特許文献１に記載のベッドメイキングシーツに繰り返し洗濯や高温滅菌処理等を施せば、当該シーツの痛んだ部分（主にシーツのコーナー部周辺）は、さらに痛むことになり、シーツの劣化が促進される。
【０００８】
さらに、特許文献１に記載されているベッドメイキングシーツは、ベッドメイキングシーツの偶角部を切り離し、各切断部を接合することによって、袋状引っ掛け部を形成するものとしていることから、製造に大変な手間とコストを要する。
【０００９】
また、特許文献１に記載されているベッドメイキングシーツは、上述のとおり、袋状引っ掛け部を形成するために、その偶角部が切り離されていることから、シーツの一方の短辺側に位置する角部と他方の短辺側に位置する角部を合わせたとしても、これを矩形状（長方形状）にて折り畳むことができない（きれいに折り畳むことができない）。このため、特許文献１に記載されているベッドメイキングシーツでは、シーツの折り畳み作業を迅速かつ正確に行うことができない（大量のベッドメイキングシーツを矩形状に（きれいに）折り畳むには、相当の時間と手間を要する）。
【００１０】
そこで、本考案は、上記点に鑑みてなされたものであり、正確かつ簡易迅速なシーツの交換作業を可能にし、シーツの劣化を防止するとともに、低コストで簡単に製造することのできるマットレス用シーツを提供することを目的とするものである。
【課題を解決するための手段】
【００１１】
請求項１の考案に係るマットレス用シーツは、マットレスを覆うシーツ本体と、該シーツ本体の一方の短辺側に形成され、口部が該シーツ本体の他方の短辺方向を向いている袋部と、該袋部の両隣に形成され、該シーツ本体の一方の短辺側に位置するコーナー部周辺を補強するための補強部とを備えることを特徴とする。
【００１２】
請求項２の考案に係るマットレス用シーツは、請求項１に記載の考案に係るマットレス用シーツにおいて、該袋部が平面視において、上辺が該シーツ本体の一方の短辺側に位置する台形状にて形成されるとともに、該補強部が平面視において、該袋部の斜辺を一辺とする三角形状にて形成されていることを特徴とする。
【００１３】
請求項３の考案に係るマットレス用シーツは、請求項２に記載の考案に係るマットレス用シーツにおいて、該シーツ本体の一方の短辺側が他方の短辺側に折り返されており、折り返された該シーツ本体とその下側に位置する該シーツ本体とが、平面視台形状にて形成される該袋部の斜辺に沿って重着されていることを特徴とする。
【考案の効果】
【００１４】
請求項１に記載の考案は、シーツ本体の一方の短辺側に袋部が形成されていることから、ベッド上に載置されたマットレスの頭側に袋部を被せた後、マットレス用シーツをマットレスの足側に引っ張るだけで、簡単に、しわを発生させることなく、マットレス用シーツをマットレスに取り付けることができる。すなわち、本考案では、正確かつ簡易迅速なシーツの交換作業が可能となる。
【００１５】
また、このように、マットレス用シーツをマットレスの足側に引っ張ったとしても、本考案には、袋部の両隣にシーツ本体の一方の短辺側に位置するコーナー部周辺を補強するための補強部が形成されていることから、本考案では、シーツ本体のコーナー部周辺が擦り切れてしまう（シーツが痛む）という問題はない。さらに、本考案は、このような補強部が形成されることで、シーツ本体のコーナー部周辺が洗濯や高温滅菌処理等にも耐え得ることから、マットレス用シーツの劣化を防止することもできる。
【００１６】
請求項２に記載の考案は、袋部が平面視において、上辺が該シーツ本体の一方の短辺側に位置する台形状にて形成されるとともに、補強部が平面視において、袋部の斜辺を一辺とする三角形状にて形成されていることから、一般的なシーツ（一般的なタイプのマットレスに取り付け可能）の形状（矩形状）に合わせて、袋部及び補強部を形成することができる（すなわち、マットレス用シーツは、一般的なシーツの形状（矩形状）に合わせて（同形状にて）形成される）。したがって、本考案では、一般的なタイプのマットレスに取り付け可能であることから、請求項１に記載の考案の効果に加えて、汎用性のあるマットレス用シーツを提供することができる。
【００１７】
また、本考案は、上述のとおり、マットレス用シーツが一般的なシーツの形状（矩形状）に合わせて（同形状にて）形成されることから、シーツ本体の一方の短辺側に位置する角部と他方の短辺側に位置する角部を合わせるだけで、これを矩形状（長方形状）にて折り畳むことができる（きれいに折り畳むことができる）。したがって、本考案では、マットレス用シーツの折り畳み作業を迅速かつ正確に行うことができる（大量のマットレス用シーツを矩形状に（きれいに）折り畳む場合でも、時間と手間を要することはない）。
【００１８】
請求項３に記載の考案は、シーツ本体の一方の短辺側が他方の短辺側に折り返されており、折り返されたシーツ本体とその下側に位置するシーツ本体とが、平面視台形状にて形成される袋部の斜辺に沿って重着されていることから、１枚のシーツを加工することで（すなわち、１枚のシーツ以外の部材は必要ない）、袋部及び補強部を同時に形成することができる（つまり、１回の工程で袋部及び補強部を同時に形成できる）。したがって、本考案では、請求項２に記載の考案の効果に加えて、大変な手間とコストを要することなく、簡単に、このようなマットレス用シーツを製造することができる。
【図面の簡単な説明】
【００１９】
【図１】本考案の実施例１に係るマットレス用シーツの正面図である。
【図２】本考案の実施例１に係るマットレス用シーツの袋部を開口している状態を表す斜視図である。
【図３】本考案の実施例１に係るマットレス用シーツのシーツ本体の一方の短辺側を他方の短辺側に折り返している状態を表す斜視図である。
【図４】本考案の実施例１に係るマットレス用シーツの折り返されたシーツ本体とその下側に位置するシーツ本体とを重着している状態を表す斜視図である。
【図５】本考案の実施例１に係るマットレス用シーツの袋部をシーツ本体の一方の短辺側に折り返した状態を表す斜視図である。
【図６】本考案の実施例１に係るマットレス用シーツの図５の背面図である。
【図７】本考案の実施例１に係るマットレス用シーツをマットレスに載置した状態を表す斜視図である。
【図８】本考案の実施例１に係るマットレス用シーツをマットレスに取り付けている状態を表す斜視図である。
【考案を実施するための形態】
【００２０】
以下、図面を用いて本考案の詳細を説明する。
【実施例１】
【００２１】
まず、図１及び図２を用いて、本考案の実施例１に係るマットレス用シーツ１００の形態について説明する。
【００２２】
図１は本考案の実施例１に係るマットレス用シーツの正面図であり、図２は本考案の実施例１に係るマットレス用シーツの袋部を開口している状態を表す斜視図である。
【００２３】
図１及び図２に示すように、マットレス用シーツ１００は、シーツ本体１０、袋部２０及び補強部３０を備える。
【００２４】
［シーツ本体１０］
図１及び図２に示すように、シーツ本体１０は、公知のシーツと同様に矩形状にて形成される。シーツ本体１０の寸法は、マットレスのサイズに応じて適宜決定され、例えば、シングル用のマットレス（シングルベットに載置されるマットレス）に使用されるシーツ本体１０の場合、短手方向の長さは概ね１８３ｃｍ、長手方向の長さは概ね３００ｃｍに形成される（以下、本実施例では、シングル用のマットレスに使用されるマットレス用シーツ１００の各寸法について説明する）。
【００２５】
［袋部２０］
図１及び図２に示すように、袋部２０は、シーツ本体１０の一方の短辺側に形成される。袋部２０は、平面視において、上辺２０ａがシーツ本体１０の一方の短辺側に位置する台形状にて形成されており、口部２０ｃがシーツ本体１０の他方の短辺方向を向く格好となっている。袋部２０の上辺２０ａの長さは概ね１２０ｃｍ、底辺２０ｂの長さは概ね１８３ｃｍ、高さ（上辺２０ａから底辺２０ｂまでの直線距離）は概ね３１．５ｃｍに形成される。
【００２６】
［補強部３０］
図１及び図２に示すように、補強部３０は、平面視において、袋部２０の斜辺２０ｄを一辺とする三角形状にて形成される（すなわち、補強部３０は、袋部２０の両隣に形成される）。なお、このとき、補強部３０を両底角が４５度からなる直角二等辺三角形状にて形成しておくことが好ましい。袋部２０をシーツ本体１０の一方の短辺側に折り返した際、シーツ本体１０の一方の短辺側に位置するコーナー部の各隣接する面を直交させるため等である（図５。この点については後述する）。補強部３０の二等辺は概ね３１．５ｃｍ、他の一辺は概ね４４．５ｃｍに形成される。
【００２７】
次に、図３乃至図６を用いて、本考案の実施例１に係るマットレス用シーツ１００の製造方法について説明する。
【００２８】
図３は本考案の実施例１に係るマットレス用シーツのシーツ本体の一方の短辺側を他方の短辺側に折り返している状態を表す斜視図であり、図４は本考案の実施例１に係るマットレス用シーツの折り返されたシーツ本体とその下側に位置するシーツ本体とを重着している状態を表す斜視図である。図５は本考案の実施例１に係るマットレス用シーツの袋部をシーツ本体の一方の短辺側に折り返した状態を表す斜視図であり、図６は本考案の実施例１に係るマットレス用シーツの図５の背面図である。
【００２９】
図３に示すように、まず、シーツ本体１０の一方の短辺側を他方の短辺側に折り返すようにする。このとき、シーツ本体１０の一方の短辺側の折り幅を概ね３１．５ｃｍにして折り返すようにするとよい。後に、上述の袋部２０及び補強部３０を１回の工程で同時に形成するためである。なお、シーツ本体１０の長手方向の長さは、上述のとおり、概ね３００ｃｍとなっているが、これは、シーツ本体１０の一方の短辺側を他方の短辺側に折り返した状態での寸法であることから、シーツ本体１０の一方の短辺側を折り返す前の寸法（長手方向の長さ）は、概ね３３１．５ｃｍとなる。
【００３０】
図４に示すように、シーツ本体１０の一方の短辺側を他方の短辺側に折り返した後は、折り返されたシーツ本体１０とその下側に位置するシーツ本体１０とを、所定の位置で重着するようにする。具体的には、折り返されたシーツ本体１０の両角部（シーツ本体１０の他方の短辺方向に位置する両角部）とシーツ本体１０の一方の短辺の中央付近を結んだ線２０ｄ上を縫い合わせることで、折り返されたシーツ本体１０とその下側に位置するシーツ本体１０とを重着する。
【００３１】
このように、折り返されたシーツ本体１０とその下側に位置するシーツ本体１０とを線２０ｄ上で重着することで、上述の平面視台形状からなる袋部２０が形成されるとともに、袋部２０の両隣には、袋部２０の斜辺２０ｄを一辺とする三角形状からなる補強部３０が形成されることになる（折り返されたシーツ本体１０とその下側に位置するシーツ本体１０は、袋部２０の斜辺２０ｄに沿って重着されている）。すなわち、１枚のシーツを加工することで（１枚のシーツ以外の部材は必要ない）、袋部２０及び補強部３０を同時に形成することができる（つまり、１回の工程で袋部２０及び補強部３０を同時に形成できる）。
【００３２】
なお、このとき、上述の線２０ｄ（斜辺２０ｄ）の角度を、袋部２０の底辺２０ｂに対して４５度となるようにしておくとよい（補強部３０を両底角が４５度からなる直角二等辺三角形状とする）。これにより、袋部２０をシーツ本体１０の一方の短辺側に折り返した際、シーツ本体１０の一方の短辺側に位置するコーナー部の各隣接する面は直角に交わることから（図５）、マットレス用シーツ１００をマットレス２００（図７、図８）の形状（直方体状）に合わせて、取り付けることができるようになる（つまり、しわを発生させることなく、マットレス用シーツ１００をマットレス２００に取り付けることができる。）
【００３３】
図５及び図６に示すように、袋部２０をシーツ本体１０の一方の短辺側に折り返した場合、補強部３０は、袋部２０の内側両側面付近に位置することになる。なお、このとき、上述のように、補強部３０を両底角が４５度からなる直角二等辺三角形状としておけば、袋部２０をシーツ本体１０の一方の短辺側に折り返した場合でも、補強部３０は、袋部２０の内側に納められることから、見栄えのよいマットレス用シーツ１００を提供することができる。なお、このようなマットレス用シーツ１００は、例えば、綿、麻、絹等の天然繊維質や、ポリエステルやナイロン等の化学繊維質等にて形成することができる。
【００３４】
最後に、図７及び図８を用いて、本考案の実施例１に係るマットレス用シーツ１００の使用方法について説明する。
【００３５】
図７は本考案の実施例１に係るマットレス用シーツをマットレスに載置した状態を表す斜視図であり、図８は本考案の実施例１に係るマットレス用シーツをマットレスに取り付けている状態を表す斜視図である。
【００３６】
図７に示すように、まず、マットレス用シーツ１００をマットレス２００の上面に載置する。このとき、袋部２０の上辺２０ａの両端部をマットレス２００の頭側の両端部に合わせるようにする。続いて、図８に示すように、袋部２０をシーツ本体１０の一方の短辺側に折り返し、マットレス２００の頭側に被せて、マットレス用シーツ１００をマットレス２００の足側へ引っ張るようにする。
【００３７】
なお、このとき、袋部２０をマットレス２００の頭側に被せることで、袋部２０がマットレス２００の頭側に引っ掛けられた状態となっていることから、マットレス用シーツ１００をマットレス２００の足側へ引っ張ったとしても、これがマットレス２００から外れることはない。また、上述のとおり、袋部２０がシーツ本体１０の一方の短辺側に折り返された状態（袋部２０をマットレス２００の頭側に被せた状態）では、補強部３０は、袋部２０の内側両側面付近に位置することから、マットレス用シーツ１００をマットレス２００の足側へ引っ張ったとしても、シーツ本体１０の一方の短辺側に位置するコーナー部周辺が擦り切れる（シーツが痛む）ことはない（このときに、マットレス２００のコーナー部周辺に直接接触するのは、シーツ本体１０ではなく、補強部３０となるため）。
【００３８】
そして、この状態のまま、シーツ本体１０の他方の短辺側をマットレス２００の下面に入れ込み、最後に、シーツ本体１０の両長辺側（シーツ本体１０の両側辺付近）をマットレス２００の下面に入れ込むようにする。このように、マットレス用シーツ１００をマットレス２００に取り付けることで、正確かつ簡易迅速なシーツの交換作業が可能となる。なお、マットレス用シーツ１００をマットレス２００から取り外す際には、上述の手順と逆の手順を行うようにすればよい。
【００３９】
このように、本考案では、シーツ本体１０の一方の短辺側に袋部２０が形成されていることから、マットレス２００の頭側に袋部２０を被せた後、マットレス用シーツ１００をマットレス２００の足側に引っ張るだけで、簡単に、しわを発生させることなく、マットレス用シーツ１００をマットレス２００に取り付けることができる。すなわち、本考案では、正確かつ簡易迅速なシーツの交換作業が可能となる。
【００４０】
また、このように、マットレス用シーツ１００をマットレス２００の足側に引っ張ったとしても、本考案には、袋部２０の両隣にシーツ本体１０の一方の短辺側に位置するコーナー部周辺を補強するための補強部３０が形成されていることから、本考案では、シーツ本体１０のコーナー部周辺が擦り切れてしまう（シーツが痛む）という問題はない。さらに、本考案は、このような補強部３０が形成されることで、シーツ本体１０のコーナー部周辺が洗濯や高温滅菌処理等にも耐え得ることから、マットレス用シーツ１００の劣化を防止することもできる。
【００４１】
さらに、本考案は、袋部２０が平面視において、上辺２０ａがシーツ本体１０の一方の短辺側に位置する台形状にて形成されるとともに、補強部３０が平面視において、袋部２０の斜辺２０ｄを一辺とする三角形状にて形成されていることから、一般的なシーツ（一般的なタイプのマットレスに取り付け可能）の形状（矩形状）に合わせて、袋部２０及び補強部３０を形成することができる（図１参照）。したがって、本考案では、一般的なタイプのマットレスに取り付け可能であることから、汎用性のあるマットレス用シーツ１００を提供することができる。
【００４２】
加えて、本考案は、上述のとおり、マットレス用シーツ１００が一般的なシーツの形状（矩形状）に合わせて（同形状にて）形成されることから、シーツ本体１０の一方の短辺側に位置する角部と他方の短辺側に位置する角部を合わせるだけで、これを矩形状（長方形状）にて折り畳むことができる（きれいに折り畳むことができる）。したがって、本考案では、マットレス用シーツ１００の折り畳み作業を迅速かつ正確に行うことができる（大量のマットレス用シーツ１００を矩形状に（きれいに）折り畳む場合でも、時間と手間を要することはない）。
【００４３】
また、本考案は、シーツ本体１０の一方の短辺側が他方の短辺側に折り返されており、折り返されたシーツ本体１０とその下側に位置するシーツ本体１０とが、平面視台形状にて形成される袋部２０の斜辺２０ｄ（線２０ｄ）に沿って重着されていることから、１枚のシーツを加工することで（１枚のシーツ以外の部材は必要ない）、袋部２０及び補強部３０を同時に形成することができる（つまり、１回の工程で袋部２０及び補強部３０を同時に形成できる）。したがって、本考案では、大変な手間とコストを要することなく、簡単に、このようなマットレス用シーツ１００を製造することができる。
【００４４】
なお、本実施例では、シングル用のマットレスに使用されるマットレス用シーツ１００の各寸法（シーツ本体１０、袋部２０及び補強部３０の寸法）について説明したが、上述のとおり、これらの寸法は、マットレスのサイズ（セミダブル用又はダブル用等）に応じて適宜決定されるものである。
【００４５】
また、本実施例では、袋部２０の形状を平面視台形状にて形成するものとしているが、袋部２０をシーツ本体１０の一方の短辺側に折り返し、マットレス２００の頭側に被せることができるのであれば、袋部２０の形状はこれに限られるものではない。例えば、袋部２０の形状を平面視において矩形状に近い形に形成することもできる。
【００４６】
さらに、本実施例では、補強部３０の形状を平面視において、直角二等辺三角形状にて形成しておくことが好ましいものとしているが、補強部３０にてシーツ本体１０のコーナー部周辺を補強することができるのであれば、補強部３０の形状を直角二等辺三角形状以外の三角形状にて形成することも可能である。
【００４７】
また、本実施例では、折り返されたシーツ本体１０とその下側に位置するシーツ本体１０とを、線２０ｄ上を縫い合わせることで、袋部２０及び補強部３０を形成するものとしているが、これらを他の製造方法にて形成することも可能である。例えば、シーツ本体１０とは別の台形状からなるシーツを用意し、これをシーツ本体１０の一方の短辺側に載置して、その周辺を縫い合わせることで袋部２０を形成することもできる。また、これと同様、補強部３０についても、シーツ本体１０とは別の三角形状からなるシーツを用意し、これを袋部２０の両隣に載置して（三角形状からなる当該シーツの一辺を袋部２０の斜辺２０ｄ上に重ねるように載置する）、その周辺を縫い合わせることで補強部３０を形成することもできる（すなわち、マットレス用シーツ１００を、シーツ本体１０の一方の短辺側を他方の短辺側に折り返さず製造する）。なお、このとき、補強部３０の強度を高めたいのであれば、袋部２０の両隣にゴム片等の緩衝材を取り付けるようにしてもよい。
【００４８】
また、このとき、袋部２０をシーツ本体１０の一方の短辺側に折り返した際、補強部３０が袋部２０の内側両側面付近に位置されるのであれば、袋部２０の両隣に、円形状等からなる補強部３０を取り付けるようにしてもよい。これにより、シーツ本体１０のコーナー部周辺は、より広く補強されることになる。
【００４９】
最後に、本実施例では、折り返されたシーツ本体１０とその下側に位置するシーツ本体１０とを、線２０ｄ上を縫い合わせることで重着するものとしているが、袋部２０及び補強部３０が形成されるのであれば、これらを他の方法にて重着することもできる。例えば、これらをテープや接着剤等にて重着することも可能である。
【００５０】
このように、本実施例では、本考案の趣旨を逸脱しない範囲で種々の変更が可能であることはいうまでもない。
【符号の説明】
【００５１】
１０      シーツ本体
２０      袋部
２０ａ    上辺
２０ｂ    底辺
２０ｃ    口部
２０ｄ    斜辺、線
３０      補強部
１００    マットレス用シーツ
２００    マットレス
【図１】
0003197216.tif 000003
【図２】
0003197216.tif 000004
【図３】
0003197216.tif 000005
【図４】
0003197216.tif 000006
【図５】
0003197216.tif 000007
【図６】
0003197216.tif 000008
【図７】
0003197216.tif 000009
【図８】
0003197216.tif 000010